(57)【要約】【課題】無線通信回路を備え得る電子デバイスを提供する。【解決手段】電子デバイスは、無線回路及び制御回路を備え得る。無線回路は、複数のアンテナ及び送受信機回路を含み得る。電子デバイス内のアンテナは、導電性周囲電子デバイス筐体構造体の一部分から形成された逆Ｆアンテナ共振素子を有してもよく、ギャップによってアンテナ共振素子から離されたアンテナ接地を有してもよい。アンテナ用のアンテナ接地は、ディスプレイ用の導電性フレームを含み得る。この導電性フレームは、アンテナ共振素子アームから第１の距離だけ離された第１の部分と、アンテナ共振素子アームから、第１の距離よりも短い第２の距離だけ離された第２の部分と、を有し得る。第２の部分は、アンテナ共振素子アームと共に分布インピーダンス整合容量を形成するように構成され得る。【選択図】図１
2019050561.tif 000002
【特許請求の範囲】
【請求項１】
導電性周囲構造体を有する筐体と、
前記筐体内のディスプレイと、
前記ディスプレイ用の導電性フレームと、
アンテナ用のアンテナ共振素子アームであって、前記導電性周囲構造体のセグメントから形成されているアンテナ共振素子アームと、
前記ディスプレイ用の前記導電性フレームを含む前記アンテナ用のアンテナ接地と、を備える、電子デバイス。
【請求項２】
前記導電性フレームは、前記アンテナ共振素子アームから第１の距離だけ離された第１の部分と、前記アンテナ共振素子アームから、前記第１の距離よりも短い第２の距離だけ離された第２の部分と、を有し、前記第２の部分は、前記アンテナ共振素子アームと共に分布容量を形成するように構成されている、請求項１に記載の電子デバイス。
【請求項３】
前記導電性フレームの前記第２の部分と前記アンテナ共振素子アームとの間に結合された前記アンテナ用のアンテナフィードを更に備える、請求項２に記載の電子デバイス。
【請求項４】
前記導電性フレームに結合された導電性ディスプレイプレートを更に備え、前記アンテナ接地は前記導電性ディスプレイプレートを含む、請求項１に記載の電子デバイス。
【請求項５】
前記導電性フレームは、上縁部及び下縁部が左縁部及び右縁部によって結合された矩形の外周と、前記上下左右の縁部で囲まれた中央開口部と、を有する、請求項１に記載の電子デバイス。
【請求項６】
前記導電性周囲構造体の前記セグメントは第１のセグメントであり、前記電子デバイスは、
前記第１のセグメントを前記導電性周囲構造体の第２のセグメントから離す、前記導電性周囲構造体内の第１の誘電体充填ギャップと、
前記第１のセグメントを前記導電性周囲構造体の第３のセグメントから離す、前記導電性周囲構造体内の第２の誘電体充填ギャップと、を更に備える、請求項１に記載の電子デバイス。
【請求項７】
前記アンテナ接地は、前記導電性周囲構造体の前記第２及び第３のセグメントと、前記導電性周囲構造体の前記第２のセグメントと前記第３のセグメントとの間に延在する平面状導電層と、を含む、請求項６に記載の電子デバイス。
【請求項８】
前記平面状導電層を前記導電性フレームに電気的に結合する導電性構造体を更に備える、請求項７に記載の電子デバイス。
【請求項９】
前記アンテナ接地は、前記第１の誘電体充填ギャップの縁部を越えて延在する第１の縦方向スロットを含み、前記第１の縦方向スロットは、前記導電性フレームと前記導電性周囲構造体の前記第２のセグメントとによって画定される縁部を有する、請求項６に記載の電子デバイス。
【請求項１０】
前記アンテナ接地は、前記第２の誘電体充填ギャップの縁部を越えて延在する第２の縦方向スロットを含み、前記第２の縦方向スロットは、前記導電性フレームと前記導電性周囲構造体の前記第３のセグメントとによって画定される縁部を有する、請求項９に記載の電子デバイス。
【請求項１１】
前記アンテナ共振素子アームと前記導電性フレームとの間に誘電体充填ギャップが介在し、前記誘電体充填ギャップは、前記アンテナ共振素子アームを前記導電性フレームの第１の部分から第１の距離だけ離し、前記アンテナ共振素子アームを、前記導電性フレームの第２の部分から、前記第１の距離よりも短い第２の距離だけ離す、請求項１に記載の電子デバイス。
【請求項１２】
前記アンテナ共振素子アーム及び前記導電性フレームの前記第２の部分が前記アンテナ用の分布インピーダンス整合容量を形成する、請求項１１に記載の電子デバイス。
【請求項１３】
導電性周囲構造体を有する筐体と、
前記筐体内のディスプレイと、
アンテナ用のアンテナ共振素子アームであって、前記導電性周囲構造体から形成されているアンテナ共振素子アームと、
前記ディスプレイを支持し、延伸部を有する導電層であって、前記導電層の前記延伸部は、前記アンテナ用の分布容量の一部を形成するように構成されている、導電層と、を備える、電子デバイス。
【請求項１４】
前記延伸部は、前記アンテナ共振素子アームから第１の距離だけ離されており、前記延伸部は、前記第１の距離よりも長い第２の距離だけ少なくとも前記アンテナ共振素子アームから離された前記導電層の第１の部分と第２の部分との間に介在する、請求項１３に記載の電子デバイス。
【請求項１５】
前記導電層は、上縁部及び下縁部が左縁部及び右縁部によって結合された矩形の外周と、前記上下左右の縁部で囲まれた中央開口部と、を有する、請求項１３に記載の電子デバイス。
【請求項１６】
前記導電層は、前記アンテナ用のアンテナ接地の一部分を形成する、請求項１３に記載の電子デバイス。
【請求項１７】
導電性周囲構造体と、前記導電性周囲構造体の第１のセグメントと第２のセグメントとの間に延在する平面状導電層と、を有する筐体と、
前記筐体内のディスプレイと、
導電性ディスプレイフレームと、
前記第１のセグメントを前記導電性周囲構造体の第３のセグメントから離す、前記導電性周囲構造体内の第１の誘電体充填ギャップと、
前記第２のセグメントを前記第３のセグメントから離す、前記導電性周囲構造体内の第２の誘電体充填ギャップと、
前記導電性周囲構造体の少なくとも前記第３のセグメントから形成されたアンテナ用のアンテナ共振素子と、
少なくとも、前記平面状導電層、前記導電性周囲構造体の前記第１及び第２のセグメント、及び前記導電性ディスプレイフレームから形成された、前記アンテナ用のアンテナ接地と、を備える、電子デバイス。
【請求項１８】
前記アンテナ用の分布インピーダンス整合容量は、前記導電性ディスプレイフレームと前記アンテナ共振素子とによって形成される、請求項１７に記載の電子デバイス。
【請求項１９】
前記アンテナ接地は、前記第１の誘電体充填ギャップの縁部を越えて延在する第１の縦方向スロットを含み、前記第１の縦方向スロットは、前記導電性ディスプレイフレームと、前記導電性周囲構造体の前記第１のセグメントとによって画定される縁部を有する、請求項１７に記載の電子デバイス。
【請求項２０】
前記アンテナ接地は、前記第２の誘電体充填ギャップの縁部を越えて延在する第２の縦方向スロットを含み、前記第２の縦方向スロットは、前記導電性ディスプレイフレームと、前記導電性周囲構造体の前記第２のセグメントとによって画定される縁部を有する、請求項１９に記載の電子デバイス。
【発明の詳細な説明】
【背景技術】
【０００１】
本出願は、２０１７年９月１１日に出願された米国特許出願第１５／７０１，２５０号に対する優先権を主張するものであり、本明細書によりその全体が本明細書に組み込まれる。
本出願は、概して電子デバイスに関し、より具体的には、無線通信回路を有する電子デバイスに関する。
【０００２】
電子デバイスは多くの場合、無線通信回路を含む。例えば、セルラー電話機、コンピュータ、及び他のデバイスは多くの場合、無線通信をサポートするためのアンテナ及び無線送受信装置を含む。
【０００３】
所望の特性を有する電子デバイスのアンテナ構造体を形成することは、困難なことがある。いくつかの無線デバイスでは、アンテナがかさばる。他のデバイスでは、アンテナはコンパクトであるが、アンテナの、外部物体に対する位置に敏感である。注意を払わなければアンテナは離調されることがあり、要求されるよりも大きい若しくは小さい電力を有する無線信号を発することがあり、又はさもなければ予想どおりに機能しないことがある。
【０００４】
したがって、電子デバイスのための改良された無線回路を提供できることが望ましいであろう。
【発明の概要】
【０００５】
電子デバイスは、無線回路及び制御回路を備えることができる。無線回路は、複数のアンテナ及び送受信機回路を含むことができる。アンテナは、電子デバイスの反対側にある第１及び第２の端部のアンテナ構造体を含むことができる。デバイスの所与の端部のアンテナ構造体は、アンテナ構造体及び電子デバイスを異なる多数の動作モード又は状態のうちの１つにするために制御回路によって調節される調節可能な構成要素を含むことができる。
【０００６】
電子デバイス内のアンテナが、導電性周囲電子デバイス筐体構造体の複数部分から形成された逆Ｆアンテナ共振素子を有してもよく、ギャップによってアンテナ共振素子から離されたアンテナ接地を有してもよい。短絡回路経路がギャップを橋絡してもよい。アンテナフィードが、短絡回路経路と平行に、ギャップ全体にわたって結合されてもよい。
【０００７】
アンテナ用のアンテナ接地は、ディスプレイ用の導電性フレームを含んでもよい。この導電性フレームは、アンテナ共振素子アームから第１の距離だけ離された第１の部分と、アンテナ共振素子アームから、第１の距離よりも短い第２の距離だけ離された第２の部分と、を有してもよい。第２の部分は、アンテナ共振素子アームと共に分布インピーダンス整合容量を形成するように構成されてもよい。アンテナフィードは、導電性フレームの第２の部分からアンテナ共振素子アームに結合された正極フィード端子を有してもよい。
【図面の簡単な説明】
【０００８】
【図１】一実施形態に係る例示的な電子デバイスの斜視図である。
【図２】一実施形態に係る、電子デバイス内の例示的な回路の模式図である。
【図３】一実施形態に係る例示的な無線通信回路機構の模式図である。
【図４】一実施形態に係る例示的な逆Ｆアンテナの模式図である。
【図５】一実施形態に係る、電子デバイス内の例示的なアンテナ構造体の上面図である。
【図６】一実施形態に係る、図５に示す種類の縦方向スロットがどのように形成され得るかを示す例示的な電子デバイスの側断面図である。
【図７】一実施形態に係る、ディスプレイ接地構造体とアンテナ共振素子との間で図５に示す種類の分布容量がどのように形成され得るかを示す例示的な電子デバイスの側断面図である。
【図８】一実施形態に係る、ディスプレイ接地構造体とアンテナ共振素子との間で図５に示す種類の分布容量がどのように形成され得るかを示す例示的な電子デバイスの側断面図である。
【図９】一実施形態に係る、図５〜図８に示す種類のアンテナの周波数の関数としてのアンテナ性能（アンテナ効率）のグラフである。
【発明を実施するための形態】
【０００９】
図１の電子デバイス１０などの電子デバイスは、無線通信回路を備えてもよい。無線通信回路は、複数の無線通信帯域における無線通信をサポートする目的で使用されてもよい。
【００１０】
無線通信回路は、もう１つのアンテナを含んでもよい。無線通信回路のアンテナとしては、ループアンテナ、逆Ｆアンテナ、ストリップアンテナ、平板逆Ｆアンテナ、スロットアンテナ、１種類よりも多くのアンテナ構造体を含む複合アンテナ、又はその他の好適なアンテナを挙げることができる。アンテナ用の導電性構造体は、所望であれば、導電性電子デバイス構造体から形成されてもよい。
【００１１】
導電性電子デバイス構造体は、導電性筐体構造体を含んでもよい。筐体構造体は、電子デバイスの外周を囲む導電性周囲構造体などの周囲構造体を含んでもよい。導電性周囲構造体は、ディスプレイなどの平面構造体のベゼルとして機能してもよく、デバイス筐体用の側壁構造体として機能してもよく、一体の後部平面筐体から上方に延びる部分を（例えば、垂直な平面側壁又は湾曲した側壁を形成するために）有してもよく、かつ／又はその他の筐体構造体を形成してもよい。
【００１２】
導電性周囲構造体にギャップを形成して、導電性周囲構造体を周囲セグメントに分割することができる。１つ以上のセグメントが、電子デバイス１０用の１つ以上のアンテナを形成するのに使用されてもよい。アンテナは、導電性筐体構造体（例えば、内部及び／又は外部構造体、支持プレート構造体など）から形成されたアンテナ接地板及び／又はアンテナ共振素子を使用して形成されてもよい。
【００１３】
電子デバイス１０は、ポータブル電子デバイス又はその他の適切な電子デバイスであってもよい。例えば、電子デバイス１０は、ラップトップコンピュータ、タブレットコンピュータ、腕時計デバイスなどの幾分小さなデバイス、ペンダントデバイス、ヘッドホンデバイス、イヤピースデバイス、又はその他のウェアラブル若しくはミニチュアデバイス、セルラー電話などのハンドヘルドデバイス、メディアプレーヤ、又はその他の小型ポータブルデバイスであってもよい。デバイス１０はまた、セットトップボックス、デスクトップコンピュータ、コンピュータ又はその他の処理回路を内蔵するディスプレイ、コンピュータを内蔵しないディスプレイ、又はその他の好適な電子機器であってもよい。
【００１４】
デバイス１０は、筐体１２などの筐体を含んでもよい。ケースと呼ばれることもある筐体１２は、プラスチック、ガラス、セラミック、繊維複合体、金属（例えば、ステンレス鋼、アルミニウムなど）、その他の好適な材料、又はこれらの材料の組み合わせで形成してもよい。一部の状況では、筐体１２の一部を、誘電体又はその他の低導電性材料（例えば、ガラス、セラミック、プラスチック、サファイヤなど）から形成してもよい。他の状況では、筐体１２、又は筐体１２を構成する構造体の少なくとも一部を、金属要素から形成してもよい。
【００１５】
所望であれば、デバイス１０が、ディスプレイ１４などのディスプレイを有してもよい。ディスプレイ１４はデバイス１０の前面に搭載され得る。ディスプレイ１４は、静電容量式タッチ電極を組み込んだタッチスクリーンであってもよく、タッチ非感知であってもよい。筐体１２の後面（即ち、デバイス１０前面の反対側にあるデバイス１０の面）は、平面の筐体壁を有し得る。筐体後壁部は、筐体後壁部の全体を通るスロットを有してもよく、したがって筐体１２の筐体壁部分（及び／又は側壁部分）を互いに離し得る。筐体後壁部は、導電部及び／又は誘電部を含み得る。所望であれば、筐体後部壁が、ガラス、プラスチック、サファイヤ、又はセラミックなどの薄い層又は誘電体のコーティングで覆われた平面状金属層を含んでもよい。筐体１２（例えば、筐体後壁部、側壁など）は、筐体１２の全体は通らない浅い溝を有し得る。スロット及び溝は、プラスチック又はその他の誘電体で充填され得る。所望であれば、（例えば、全体を通るスロットによって）互いに離された筐体１２の部分は、導電性内部構造体（例えば、スロットを橋渡しする金属薄板又はその他の金属部材）によって接合されてもよい。
【００１６】
ディスプレイ１４は、発光ダイオード（light-emitting diodes、ＬＥＤ）、有機ＬＥＤ（organic LEDs、ＯＬＥＤ）、プラズマセル、エレクトロウェッティング画素、電気泳動画素、液晶ディスプレイ（liquid crystal display、ＬＣＤ）構成要素、又はその他の適切な画素構造体から形成された画素を含み得る。透明なガラス又はプラスチックの層などのディスプレイカバー層は、ディスプレイ１４の表面を覆ってもよく、又はディスプレイ１４の最外層は、カラーフィルタ層、薄膜トランジスタ層、又はその他のディスプレイ層から形成され得る。所望であれば、ボタン２４などのボタンが、カバー層の開口部を貫通してもよい。カバー層は、スピーカポート２６用の開口部など、他の開口部を有し得る。
【００１７】
筐体１２は、構造体１６などの周囲筐体構造体を含み得る。構造体１６は、デバイス１０及びディスプレイ１４の外周を囲み得る。デバイス１０及びディスプレイ１４が４つの縁部を有する矩形形状を有する構成では、構造体１６は、４つの対応する縁部（一例として）を有する長方形リング形状を有する周囲筐体構造体を使用して実装され得る。周囲構造体１６又は周囲構造体１６の一部は、ディスプレイ１４のベゼル（例えば、ディスプレイ１４の４辺全てを囲み、かつ／又はディスプレイ１４をデバイス１０に保持するのに役立つ装飾用トリム）として機能し得る。所望であれば、周囲構造体１６が、（例えば、垂直側壁、湾曲側壁などを有する金属バンドなどを形成することにより）デバイス１０の側壁構造体も形成してもよい。
【００１８】
周囲筐体構造体１６は、金属などの導電性材料から形成されてもよく、したがって、時には、導電性周囲筐体構造体、導電性筐体構造体、周囲金属構造体、又は導電性周囲筐体部材（例として）と呼ばれることがある。周囲筐体構造体１６は、ステンレス鋼、アルミニウムなどの金属、又はその他の適切な材料から形成され得る。周囲筐体構造体１６の形成においては、１つ、２つ、又は２つを超える別個の構造体が使用され得る。
【００１９】
周囲筐体構造体１６が均一な断面を有する必要はない。例えば、所望であれば、周囲筐体構造体１６の上部部分が、ディスプレイ１４を適所に保持する上で役立つ内向きに突出したリップを有してもよい。周囲筐体構造体１６の下部部分も、拡大されたリップを（例えば、デバイス１０の背面の平面内に）有してもよい。周囲筐体構造体１６は、実質的に直状の垂直側壁を有してもよく、湾曲した側壁を有してもよく、又はその他の適切な形状を有してもよい。いくつかの構成（例えば、周囲筐体構造体１６がディスプレイ１４のベゼルとして機能する場合）においては、周囲筐体構造体１６が筐体１２のリップの外周を囲んでもよい（即ち、周囲筐体構造体１６が筐体１２のディスプレイ１４を囲む縁部のみを覆い、筐体１２の側壁の他の部分は覆わなくてもよい）。
【００２０】
所望であれば、筐体１２は、導電性の背面又は後壁を有してもよい。例えば、筐体１２は、ステンレス鋼又はアルミニウムなどの金属から形成されてもよい。筐体１２の背面は、ディスプレイ１４に対して平行な平面内にあってもよい。筐体１２の背面が金属から形成されているデバイス１０の構成においては、導電性周囲筐体構造体１６の部分を、筐体１２の背面を形成する筐体構造体の一体的部分として形成することが望ましい可能性がある。例えば、デバイス１０の筐体後壁部は、平面状金属構造体で形成されてもよく、周囲筐体構造体１６の筐体１２の側面部分は、平面状金属構造体と一体の平坦な又は湾曲して垂直に延びる金属部分として形成されてもよい。このような筐体構造体は、所望であれば、金属のブロックから機械加工されてもよく、かつ／又は一緒に組み立てられて筐体１２を形成する複数の金属片を含んでもよい。筐体１２の平面状後壁は、１つ以上、２つ以上、又は３つ以上の部分を有してもよい。導電性周囲筐体構造体１６及び／又は筐体１２の導電性後壁は、デバイス１０の１つ以上の外面（例えば、デバイス１０のユーザが視認できる面）を形成してもよく、かつ／又はデバイス１０の外面を形成しない内部構造体（例えば、薄型化粧料層、保護コーティング、及び／若しくはガラス、セラミック、プラスチックなどの誘電材料を含み得る他のコーティング層などの層で覆われた導電性構造体、又は、デバイス１０の外面を形成し、かつ／若しくは構造体１６をユーザの視界から隠す働きをする他の構造体など、デバイス１０のユーザが視認できない導電性筐体構造体）を用いて実装してもよい。
【００２１】
ディスプレイ１４は、デバイス１０のユーザに画像を表示するアクティブ領域ＡＡを形成する画素の配列を有してもよい。非アクティブ領域ＩＡなどの非アクティブ境界領域が、アクティブ領域ＡＡの１つ以上の周縁部に沿って延びてもよい。
【００２２】
ディスプレイ１４は、タッチセンサ用の容量性電極のアレイ、画素をアドレス指定するための導電線、駆動回路などの導電性構造体を含んでもよい。筐体１２は、金属フレーム部材、筐体１２の壁部に広がる（後部プレートと呼ばれることもある）導電性平面状筐体部材（即ち、部材１６の対辺間を溶接ないしは別の方法で接続されている１つ以上の金属部分から形成されたほぼ矩形のシート）などの導電性内部構造体を含んでもよい。この後部プレートは、デバイス１０の外側背面に形成してもよく、又は薄型化粧料層、保護コーティング、及び／若しくはガラス、セラミック、プラスチックなどの誘電材料を含み得る他のコーティングなどの層、又は、デバイス１０の外面を形成し、かつ／若しくはユーザの視界から後部プレートを隠す働きをする他の構造体によって覆われてもよい。デバイス１０は、プリント回路基板、プリント回路基板上に取り付けられた構成要素、及び他の導電性内部構造体などの導電性構造体も含むことができる。これらの導電性構造体は、デバイス１０内の接地板を形成するのに使用されてもよく、例えば、ディスプレイ１４のアクティブ領域ＡＡの下に延在してもよい。
【００２３】
領域２２及び２０においては、開口部が、デバイス１０の導電性構造体内に（例えば、導電性周囲筐体構造体１６と、筐体１２の導電部、プリント回路基板の導電トレース、ディスプレイ１４の導電性電気部品など、対向する導電性接地構造体との間に）形成されてもよい。時にはギャップと呼ばれることのあるこれらの開口部は、所望であれば、空気、プラスチック、及び／又はその他の誘電体で充填されてもよく、デバイス１０の１つ以上のアンテナのスロットアンテナ共振素子の形成に使用されてもよい。
【００２４】
導電性筐体構造体、導電性ディスプレイ構造体、及びデバイス１０内のその他の導電性構造体は、デバイス１０内のアンテナの接地板として機能してもよい。領域２０及び２２内の開口部は、開放若しくは閉鎖スロットアンテナ内のスロットとして機能してもよく、ループアンテナ内の材料の導電経路によって囲まれた中央の誘電体領域として機能してもよく、ストリップアンテナ共振素子若しくは逆Ｆアンテナ共振素子などのアンテナ共振素子を接地板から離すスペースとして機能してもよく、寄生アンテナ共振素子の動作に寄与してもよく、又は領域２０及び２２内に形成されたアンテナ構造体の一部としてその他の方法で機能してもよい。所望であれば、ディスプレイ１４のアクティブ領域ＡＡ及び／又はデバイス１０内のその他の金属構造体の下にある接地板が、デバイス１０の端部の一部内へと延在する部分を有し（例えば、接地が、誘電体充填領域２０及び２２内の開口部に向かって延在し）、それによって領域２０及び２２内のスロットを狭めてもよい。
【００２５】
一般に、デバイス１０は、任意の適切な数（例えば、１つ以上、２つ以上、３つ以上、４つ以上など）のアンテナを含んでもよい。デバイス１０内のアンテナは、細長いデバイス筐体の反対側にある第１及び第２の端部（例えば、図１のデバイス１０の端部２０及び２２）に、デバイス筐体の１つ以上の縁部に沿って、デバイス筐体の中心に、他の好適な場所に、又はこれらの場所の１つ以上に、配置してもよい。図１の構成は、単なる例示である。
【００２６】
周囲筐体構造体１６の部分には外周ギャップ構造体を設けてもよい。例えば、導電性周囲筐体構造体１６に、図１に示すギャップ１８などの１つ以上の外周ギャップを設けてもよい。周囲筐体構造体１６におけるギャップは、ポリマー、セラミック、ガラス、空気、その他の誘電材料などの誘電体、又はこれらの材料の組み合わせで充填され得る。ギャップ１８は、周囲筐体構造体１６を１つ以上の導電性周囲セグメントに分割し得る。例えば、周囲筐体構造体１６内に（例えば、２つのギャップ１８を有する構成において）２つの導電性周囲セグメント、（例えば、３つのギャップ１８を有する構成において）３つの導電性周囲セグメント、（例えば、４つのギャップ１８を有する構成においてなど）４つの導電性周囲セグメントがあってもよい。このようにして形成された導電性周囲筐体構造体１６のセグメントは、デバイス１０内でアンテナの一部を形成し得る。
【００２７】
所望であれば、筐体１２の途中まで、又は筐体１２を貫通して延在する溝など、筐体１２内の開口部が、筐体１２の後壁の幅全体にわたって延在してもよく、筐体１２の後壁を貫通して後壁を異なる部分に分割してもよい。これらの溝は、周囲筐体構造体１６内へと延在してもよく、アンテナスロット、ギャップ１８、及びデバイス１０内のその他の構造体を形成し得る。ポリマー又はその他の誘電体がこれらの溝及びその他の筐体開口部を満たし得る。いくつかの状況では、アンテナスロット及びその他の構造体を形成する筐体開口部に、空気などの誘電体が充填され得る。
【００２８】
典型的なシナリオでは、デバイス１０が（例として）１つ以上の上部アンテナ及び１つ以上の下部アンテナを有し得る。上部アンテナは、例えば、領域２２内においてデバイス１０の上端に形成し得る。下部アンテナは、例えば、領域２０内においてデバイス１０の下端に形成し得る。これらのアンテナは、同一の通信帯域、重なり合う通信帯域、又は別個の通信帯域をカバーするために別々に使用し得る。これらのアンテナは、アンテナダイバーシティ方式又は多重入出力（ＭＩＭＯ）アンテナ方式を実施する目的で使用され得る。
【００２９】
デバイス１０のアンテナは、対象とする任意の通信帯域をサポートするのに使用され得る。例えば、デバイス１０は、ローカルエリアネットワーク通信、音声及びデータ用セルラー電話通信、全地球測位システム（global positioning system、ＧＰＳ）通信又はその他の衛星航法システム通信、Ｂｌｕｅｔｏｏｔｈ（登録商標）通信などに対応するアンテナ構造体を含み得る。
【００３０】
図１のデバイス１０内で使用され得る例示的構成要素を示す概略図を、図２に示す。図２に示すように、デバイス１０は、記憶装置及び処理回路２８などの制御回路を含み得る。記憶装置及び処理回路２８は、ハードディスクドライブ記憶装置、不揮発性メモリ（例えば、フラッシュメモリ、又はソリッドステートドライブを形成するように構成された他の電気的にプログラム可能な読み出し専用メモリ）、揮発性メモリ（例えば、静的又は動的ランダムアクセスメモリ）などの記憶装置を含み得る。記憶装置及び処理回路２８内の処理回路は、デバイス１０の動作を制御するために使用され得る。この処理回路は、１つ以上のマイクロプロセッサ、マイクロコントローラ、デジタル信号プロセッサ、特定用途向け集積回路などに基づくものとされ得る。
【００３１】
記憶装置及び処理回路２８は、インターネット閲覧アプリケーション、ボイスオーバーインターネットプロトコル（ＶＯＩＰ）電話通話アプリケーション、電子メールアプリケーション、メディア再生アプリケーション、オペレーティングシステム機能などのソフトウェアを、デバイス１０上で実行するために使用し得る。外部機器との相互作用をサポートするために、通信プロトコルを実行する際、記憶装置及び処理回路２８が使用され得る。記憶及び処理回路２８を使用して実行することができる通信プロトコルとしては、インターネットプロトコル、無線ローカルエリアネットワークプロトコル（例えば、ＷｉＦｉ（登録商標）と呼ばれることがあるＩＥＥＥ８０２．１１プロトコル）、Ｂｌｕｅｔｏｏｔｈプロトコルなどの他の近距離無線通信リンクに対するプロトコル、セルラー電話プロトコル、マルチインプットマルチアウトプット（ＭＩＭＯ）プロトコル、アンテナダイバーシティプロトコルなどが挙げられる。
【００３２】
入出力回路３０は、入出力デバイス３２を含み得る。入出力デバイス３２を使用して、デバイス１０にデータを供給すること、及びデバイス１０から外部デバイスにデータを提供することが可能となり得る。入出力デバイス３２は、ユーザインターフェースデバイス、データポートデバイス、及び他の入出力構成要素を含み得る。例えば、入出力デバイス３２は、タッチスクリーン、タッチセンサ機能のないディスプレイ、ボタン、ジョイスティック、スクロールホイール、タッチパッド、キーパッド、キーボード、マイクロホン、カメラ、ボタン、スピーカ、ステータスインジケータ、光源、オーディオジャック及び他のオーディオポート構成要素、デジタルデータポートデバイス、光センサ、位置及び向きセンサ（例えば、加速度計、ジャイロスコープ、及びコンパスなどのセンサ）、容量性センサ、近接センサ（例えば、容量性近接センサ、光ベース近接センサなど）、指紋センサ（例えば、図１のボタン２４のようなボタンと一体化された指紋センサ、又はボタン２４に代わる指紋センサ）などを含むことができる。
【００３３】
入出力回路３０は、外部機器と無線で通信するための無線通信回路３４を含むことができる。無線通信回路３４は、１つ以上の集積回路から形成される高周波（ＲＦ）送受信回路、電力増幅器回路、低雑音入力増幅器、受動ＲＦ構成要素、１つ以上のアンテナ、伝送線路、及びＲＦ無線信号を取り扱うための他の回路を含むことができる。無線信号は、光を使用して（例えば、赤外線通信を使用して）も送信され得る。
【００３４】
無線通信回路３４は、様々な高周波通信帯域を扱うための高周波送受信機回路９０を含み得る。例えば、回路３４は、送受信回路３６、３８、及び４２を含み得る。送受信機回路３６は、ＷｉＦｉ（ＩＥＥＥ８０２．１１）通信用の２．４ＧＨｚ及び５ＧＨｚの帯域を処理することができ、かつ２．４ＧＨｚのＢｌｕｅｔｏｏｔｈ通信帯域を処理することができる。回路３４は、７００〜９６０ＭＨｚの低通信帯域、９６０〜１７１０ＭＨｚの低中帯域、１７１０〜２１７０ＭＨｚの中帯域、及び２３００〜２７００ＭＨｚの高帯域、３４００〜３７００ＭＨｚの超高帯域、又は６００ＭＨｚと４０００ＭＨｚとの間、若しくは他の好適な周波数間の他の通信帯域などの周波数範囲で無線通信を取り扱うための、セルラー電話送受信機回路３８を使用することができる（例として）。
【００３５】
回路３８は、音声データ及び非音声データを取り扱うことができる。無線通信回路３４は、所望であれば、他の短距離及び長距離無線リンク用の回路を含み得る。例えば、無線通信回路３４は、６０ＧＨｚ送受信回路、テレビ及び無線信号を受信する回路、ページングシステム送受信装置、近距離通信（ＮＦＣ）回路などを含むことができる。無線通信回路３４は、１５７５ＭＨｚでＧＰＳ信号を受信するための、又はその他の衛星測位データを取り扱うためのＧＰＳ受信機回路４２などの、全地球測位システム（ＧＰＳ）受信機機器を含むことができる。ＷｉＦｉリンク及びＢｌｕｅｔｏｏｔｈリンク、並びに他の近距離無線リンクでは、無線信号は、典型的には、数十フィート又は数百フィートにわたってデータを伝達するために使用される。セルラー電話リンク及び他の遠距離リンクでは、無線信号は、典型的には、数千フィート又は数マイルにわたってデータを伝達するために使用される。
【００３６】
無線通信回路３４は、アンテナ４０を含むことができる。アンテナ４０は、任意の適切なアンテナタイプを使用して形成され得る。例えば、アンテナ４０としては、ループアンテナ構造体、パッチアンテナ構造体、逆Ｆアンテナ構造体、スロットアンテナ構造体、平板逆Ｆアンテナ構造体、ヘリカルアンテナ構造体、ダイポールアンテナ構造体、モノポールアンテナ構造体、これらの設計のハイブリッドなどから形成された共振素子を有するアンテナが挙げられ得る。異なる帯域及び帯域の組み合わせに関しては、異なる種類のアンテナが使用されてもよい。例えば、ある種類のアンテナがローカル無線リンクアンテナの形成に使用されてもよく、別の種類のアンテナがリモート無線リンクアンテナの形成に使用されてもよい。
【００３７】
図３に示すように、無線回路３４内の送受信機回路９０は、経路９２などの経路を使用してアンテナ構造体４０に結合されてもよい。無線回路３４は、制御回路２８に結合されてもよい。制御回路２８は、入出力デバイス３２に結合されてもよい。入出力デバイス３２はデバイス１０からの出力を供給することができ、及びデバイス１０の外部に存在するソースからの入力を受信することができる。
【００３８】
対象とする通信周波数をカバーする能力をアンテナ（単数又は複数）４０などのアンテナ構造体に提供するために、アンテナ（単数又は複数）４０は、フィルタ回路（例えば、１つ以上のパッシブフィルタ及び／又は１つ以上の同調可能フィルタ回路）などの回路を備えてもよい。コンデンサ、インダクタ、及び抵抗器などの個別構成要素が、このフィルタ回路内に組み込まれてもよい。容量性構造体、誘導性構造体、及び抵抗性構造体もまた、パターニングされた金属構造体（例えば、アンテナの一部）から形成されてもよい。所望であれば、アンテナ４０は、対象となる通信帯域に対してアンテナを同調させるための、同調可能な構成要素１０２などの調節可能な回路を備えてもよい。同調可能な構成要素１０２は、同調可能フィルタ又は同調可能なインピーダンス整合ネットワークの一部とすること、アンテナ共振素子の一部とすること、アンテナ共振素子とアンテナ接地との間のギャップにわたること、などができる。
【００３９】
同調可能な構成要素１０２は、同調インダクタ、同調コンデンサ、又はその他の同調可能な構成要素を含んでもよい。これらのような同調可能な構成要素は、固定構成要素のスイッチ及びネットワーク、関連する分布容量及び分布インダクタンスを生じさせる分布金属構造体、可変容量値及び可変インダクタンス値を生じさせるための可変ソリッドステートデバイス、同調フィルタ、又はその他の好適な同調構造体に基づいてもよい。デバイス１０の動作中、制御回路２８は、インダクタンス値、容量値、又は、同調可能な構成要素１０２と関連付けられたその他のパラメータを調節する制御信号を、経路１０９などの１つ以上の経路上で発行してもよく、それによって、アンテナ構造体４０を所望の通信帯域をカバーするように同調させることができる。
【００４０】
経路９２は１つ以上の伝送線路を含んでもよい。一例として、図３の信号経路９２は、経路９４などの正の信号導体及び経路９６などの接地信号導体を有する伝送線路であってもよい。経路９４及び経路９６は、（例として）同軸ケーブル、ストリップ経路伝送線路、又はマイクロストリップ伝送線路の一部を形成してもよい。整合ネットワーク（例えば、同調可能な構成要素１０２を使用して形成された整合ネットワーク）が、アンテナ４０のインピーダンスを伝送線路９２のインピーダンスと整合するのに使用されるインダクタ、抵抗器、及びコンデンサなどの構成要素を含んでもよい。整合ネットワーク構成要素は、個別部品（例えば、表面実装技術部品）として設けてもよく、又は、筐体構造体、プリント回路基板構造体、プラスチック支持体上のトレースなどから形成してもよい。これらなどの構成要素はまた、アンテナ（単数又は複数）４０内のフィルタ回路を形成するのに使用してもよく、同調可能な及び／又は固定の構成要素としてもよい。
【００４１】
伝送線路９２は、アンテナ構造体４０と関連付けられたアンテナフィード構造体に連結され得る。一例として、アンテナ構造体４０は、逆Ｆアンテナ、スロットアンテナ、ハイブリッド逆Ｆスロットアンテナ、又は端子９８などの正極アンテナフィード端子と接地アンテナフィード端子１００などの接地アンテナフィード端子とを備えるアンテナフィード１１２を有する他のアンテナを形成することができる。正極伝送線路導電体９４は、正極アンテナフィード端子９８に結合されてもよく、接地伝送線路導電体９６は、接地アンテナフィード端子１００に結合されてもよい。所望であれば、他の種類のアンテナフィード配置構成が使用されてもよい。例えば、アンテナ構造体４０は、複数のフィードを用いて給電されてもよい。図３の例示的な給電構成は、単なる例示にすぎない。
【００４２】
制御回路２８は、アンテナ４０が付近の外部物体の存在の影響を受けている時期、又は同調の必要がある時期を判断する際に、近接センサからの情報（例えば、図２のセンサ３２を参照）、受信信号強度情報などの無線性能メトリックデータ、向きセンサからのデバイス向き情報、加速度計又はその他の運動検出センサからのデバイス運動データ、デバイス１０の使用シナリオに関する情報、スピーカ２６から音声が再生されているかどうかに関する情報、１つ以上のアンテナインピーダンスセンサからの情報、及び／又はその他の情報を使用してもよい。これに応答して、制御回路２８は、アンテナ構造体４０が所望の動作をするように、調節可能インダクタ、調節可能なコンデンサ、スイッチ、又はその他の同調可能な構成要素１０２を調節してもよい。構成要素１０２は、アンテナ構造体４０のカバレッジを拡張する（例えば、同調なしでアンテナ構造体４０よりも広い周波数範囲にわたって延在する所望の通信帯域を網羅する）ように調節してもよい。
【００４３】
ユーザの手などの外部物体の有無は、アンテナの負荷、つまりアンテナ性能に影響を及ぼし得る。アンテナ負荷は、デバイス１０が保持される仕方に依存して異なり得る。例えば、アンテナ負荷、したがってアンテナ特性は、ユーザがユーザの右手でデバイス１０を保持している時に何らかの形で影響を受けることがあり、ユーザがユーザの左手でデバイス１０を保持している時に別の形で影響を受けることがある。加えて、アンテナの負荷、つまりアンテナ性能は、ユーザがユーザの頭へデバイス１０を保持している時に何らかの形で影響を受けることがあり、ユーザがユーザの頭から離してデバイス１０を保持している時は別の形で影響を受けることがある。様々な負荷シナリオに対応するために、デバイス１０は、センサデータ、アンテナ測定値、デバイス１０の使用シナリオ若しくは動作状態に関する情報、及び／又は入出力回路３２からの他のデータを使用して、アンテナ負荷の存在（例えば、ユーザの手、ユーザの頭部、又は別の外部物体の存在）を監視することができる。その後、デバイス１０（例えば、制御回路２８）は、アンテナ４０内の調節可能な構成要素１０２を調節して、負荷を補償することができる。
【００４４】
アンテナ４０は、スロットアンテナ構造体、逆Ｆアンテナ構造体（例えば、平板及び非平板逆Ｆアンテナ構造体）、ループアンテナ構造体、これらの組み合わせ、又はその他のアンテナ構造体を含み得る。
【００４５】
例示的な逆Ｆアンテナ構造体を図４に示す。図４に示すように、逆Ｆアンテナ構造体４０（本明細書ではアンテナ４０又は逆Ｆアンテナ４０と呼ばれることがある）は、アンテナ共振素子１０６などの逆Ｆアンテナ共振素子と、アンテナ接地１０３などのアンテナ接地（接地板）とを含み得る。アンテナ共振素子１０６は、アーム１０８などの主共振素子アームを有してもよい。アーム１０８の長さは、アンテナ構造体４０が所望の動作周波数で共振するように選択してもよい。例えば、アーム１０８（又はアーム１０８の分岐）の長さは、アンテナ４０に関する所望の動作周波数の波長の４分の１とすることができる。アンテナ構造体４０はまた、高調波周波数での共振も呈し得る。所望であれば、スロットアンテナ構造体又はその他のアンテナ構造体を、（例えば、１つ以上の通信帯域におけるアンテナ応答を高めるために）図４のアンテナ４０などの逆Ｆアンテナに組み込んでもよい。一例として、共振素子１０６のアーム１０８又はその他の部分と接地１０３との間にスロットアンテナ構造体を形成し得る。これらのシナリオにおいて、アンテナ４０は、スロットアンテナ及び逆Ｆアンテナ構造体の両方を含むことがあり、ハイブリッド型逆Ｆアンテナ及びスロットアンテナと呼ばれることがある。
【００４６】
アーム１０８は、誘電ギャップ１０１などの誘電体充填開口部によって接地１０３から離され得る。アンテナ接地１０３は、導電性支持プレート、プリント回路トレース、電子部品の金属部分、ディスプレイ１４の導電部又、及び／又はその他の導電性接地構造体などの筐体構造体から形成し得る。ギャップ１０１は、空気、プラスチック、及びその他の誘電材料によって形成し得る。
【００４７】
主共振素子アーム１０８は、戻り経路１１０によって接地１０３に結合され得る。アンテナフィード１１２は、正極アンテナフィード端子９８及び接地アンテナフィード端子１００を含み得るものであり、アーム１０８と接地１０３との間で、戻り経路１１０に対して平行に延び得る。所望であれば、図４の例示的なアンテナ構造体４０などの逆Ｆアンテナ構造体は、１つより多くの共振アーム分岐を（例えば、複数の通信帯域での動作をサポートするために複数の周波数共振を作り出すために）有してもよく、又は、他のアンテナ構造体（例えば、寄生アンテナ共振素子、アンテナの同調をサポートするための同調可能な構成要素など）を有してもよい。アーム１０８は、他の形状を有してもよく、所望であれば任意の所望の経路（例えば、曲線及び／又は直線部分を有する経路）をたどってもよい。
【００４８】
所望であれば、アンテナ４０は、アーム１０８など、アンテナ共振素子構造体１０６に結合された１つ以上の調節可能回路（例えば、図３の同調可能な構成要素１０２）を含んでもよい。例えば、図４に示すように、アーム１０８など、アンテナ４０内のアンテナ共振素子アーム構造体とアンテナ接地１０３との間で、調節可能インダクタ１１４などの同調可能な構成要素１０２を結合してもよい（即ち、調節可能インダクタ１１４がギャップ１０１を橋絡させてもよい）。調節可能インダクタ１１４は、制御回路２８から調節可能インダクタ１１４に提供される制御信号１１６に応答して調節されるインダクタンス値を呈し得る。
【００４９】
アンテナを格納しているデバイス１０の例示的な部分の内部平面図を図５に示す。図５に示すように、デバイス１０は、導電性周囲筐体構造体１６などの導電性周囲筐体構造体を有し得る。導電性周囲筐体構造体１６は、第１のギャップ１８−１及び第２のギャップ１８−２など、誘電体充填外周ギャップ（例えば、プラスチックギャップ）１８によって分割され得る。アンテナ４０用の共振素子は、ギャップ１８−１とギャップ１８−２との間に延在する導電性周囲筐体構造体１６のセグメントから形成されたアーム１０８などの逆Ｆアンテナ共振素子アームを含み得る。空気及び／又は他の誘電体が、アーム１０８とディスプレイ接地構造体１０４との間にあるスロット１０１を充填し得る。所望であれば、開口部１０１が、アンテナの性能全体に寄与するスロットアンテナ共振素子構造体を形成するように構成されてもよい。ディスプレイ接地構造体１０４は、アンテナ接地１０３（図４）の複数部分を形成し得る。アンテナ接地の追加の部分は、デバイス１０内の電気デバイス部品から、プリント回路基板の配線から、電線及び金属箔などの導線から、又はその他の導電性構造体から形成され得る。ある好適な構成においては、ディスプレイ１４（図１）の導電部（例えば、ディスプレイパネルの導電部、ディスプレイパネルを支持するための導電性プレート、並びに／又は導電性プレート及び／若しくはディスプレイパネルを支持するための導電性フレーム）が、ディスプレイ接地構造体１０４を形成する。ディスプレイ接地構造体１０４は、筐体１２の導電部（例えば、筐体１２の後壁の部分、及び外周ギャップ１８によってアーム１０８から離された導電性周囲筐体構造体１６の部分）に結合され得る。
【００５０】
伝送線路９２の正極伝送線路導電体９４及び接地伝送線路導電体９６は、送受信機回路９０とアンテナフィード１１２との間で結合され得る。フィード１１２の正極アンテナフィード端子９８は、アーム１０８に結合され得る。フィード１１２の接地アンテナフィード端子１００は、導電性ディスプレイ構造体１０４に結合され得る。送受信機回路９０（例えば、図２のリモート無線送受信機回路３８、ローカル無線送受信機回路３６、及び／又はＧＰＳ受信機回路４２）は、アンテナ４０及びフィード１１２を使用して、７００〜９６０ＭＨｚの低通信帯域、９６０〜１７１０ＭＨｚの低中帯域、１７１０〜２１７０ＭＨｚの中帯域、２３００〜２７００ＭＨｚの高帯域、３４００〜３７００ＭＨｚの超高帯域、ＷｉＦｉ（ＩＥＥＥ  ８０２．１１）通信用の２．４ＧＨｚ及び５ＧＨｚ帯域、及び／又は１５７５ＭＨｚ  ＧＰＳ帯域などの周波数範囲内の高周波信号を搬送し得る。
【００５１】
アンテナフィード１１２は、分布容量領域２３０内の導電性ディスプレイ構造体１０４沿いの位置でスロット１０１全体にわたって結合され得る。分布容量領域において、導電性ディスプレイ構造体１０４は、導電性周囲構造体１６から距離２３８だけ離され得る。分布容量領域２３０は、任意の所望の幅２７２を有し得る。距離２３８及び幅２７２は、例えば、フィード１１２周辺の導電性ディスプレイ構造体１０４と導電性周囲筐体構造体１６との間で所望の分布容量が形成されるように選択され得る。領域２３０の分布容量は、例えば、幅２７２に直接比例し、距離２３８に反比例し得る。分布容量及び対応する寸法２７２及び２３８は、例えば、アンテナ４０が伝送線路９２とインピーダンス整合するように選択してもよい。そのため、分布容量領域２３０は、本明細書において、分布コンデンサ２３０（例えば、分布インピーダンス整合コンデンサ２３０）、又はディスプレイ接地構造体１０４の縁部及び導電性周囲構造体１６から（例えば、幅２７２内で）形成された分布容量２３０と呼ばれ得る。分布容量領域２３０は、所望であれば、ディスプレイ接地構造体１０４が、導電性周囲筐体構造体１６から、距離２３８よりも長い距離２３２だけ離された２つの領域によって図５のＸ軸沿いに囲まれていてもよい。導電性周囲筐体構造体１６に近くなるように延伸されたディスプレイ接地構造体１０４の部分は、接地板延伸部２６６と呼ばれることがある。
【００５２】
図５の実施例においては、アンテナフィード１１２が、導電性ディスプレイ構造体１０４が導電性周囲筐体構造体１６から距離２３８だけ離された導電性ディスプレイ構造体１０４沿いの位置でスロット１０１全体にわたって結合されている。例えば、フィード１１２は、分布容量の一部がフィード１１２の周囲に形成される（例えば、分布容量の一部がフィードの両側に位置する）ように、分布容量領域２３０内でスロット１０１全体にわたって結合され得る。また、図５の実施例では、導電性ディスプレイ構造体１０４が、分布容量領域２３０において、導電性周囲筐体構造体１６から一様な距離２３８だけ離されている。これらの実施例は単なる例示である。一般に、導電性ディスプレイ構造体１０４は、分布容量領域２３０内で導電性周囲筐体構造体１６から任意の所望の距離だけ離され、フィード１１２の周囲で、ディスプレイ接地構造体１０４と導電性周囲筐体構造体１６との間に所望の分布インピーダンス整合容量を形成し得る。例えば、所望であれば、ディスプレイ接地構造体１０４は、分布容量領域２３０において一様な距離だけ、又は分布容量領域２３０において２つ以上の異なる距離だけ、導電性周囲筐体構造体１６から離されてもよい。別の好適な構成においては、アンテナフィード１１２が、他の所望の位置（例えば、ディスプレイ接地構造体１０４と導電性周囲構造体１６とが距離２３８とは別の距離だけ離されている分布容量領域内の位置、ディスプレイ接地構造体１０４と導電性周囲構造体１６とが距離２３２だけ離されている分布容量領域外の位置など）でスロット１０１全体にわたって結合され得る。また、アンテナフィード１１２の位置を調節して、アンテナ４０を伝送線路９２と更にインピーダンス整合してもよい。
【００５３】
分布容量を領域２３０内に含めることにより、表面実装技術コンデンサなどの追加部品を省くことができ、それによって電子デバイス内のスペースを節約することができる。加えて、導電性周囲構造体１６と導電性ディスプレイ構造体１０４との間に分布インピーダンス整合コンデンサを形成することにより、導電性周囲構造体１６と導電性ディスプレイ構造体１０４との間で表面実装技術コンデンサが結合される場合よりも広い周波数範囲にわたってアンテナ効率を高め得る。
【００５４】
導電性ディスプレイ構造体１０４は、デバイス１０内で任意の形状を有し得る。例えば、導電性ディスプレイ構造体１０４の下縁部が導電性周囲構造体１６内のギャップ１８−１と整合し得る（例えば、ギャップ１８−１の上縁部又は下縁部が、ギャップ１８−１に隣接するスロット１０１を画定する導電性ディスプレイ構造体１０４の縁部と整合し得る）。この実施例は単なる例示である。所望であれば、図５に示すように、導電性ディスプレイ構造体１０４が、ギャップ１８−１の縁部の上方に（例えば、図５のＹ軸に沿って）延在するギャップ１８−１に隣接するスロット１６２などの縦方向スロットを含んでもよい。同様に、導電性ディスプレイ構造体１０４の下縁部がギャップ１８−２と整合（例えば、ギャップ１８−２の上縁部又は下縁部が、ギャップ１８−２に隣接するスロット１０４を画定する導電性ディスプレイ構造体１０１の縁部と整合）したり、ギャップ１８−２の縁部よりも上に延在したりしてもよい。
【００５５】
図５に示すように、ギャップ１８−１に隣接する縦方向スロット１６２は、ギャップ１８−１の上縁部（例えば、上縁部１７４）を越えて（例えば、図５のＹ軸方向に）延在してもよい。スロット１６２は、例えば、ディスプレイ接地構造体１０４によって画定される２つの縁部と、導電性周囲構造体１６によって画定される１つの縁部と、を有し得る。スロット１６２は、スロット１０１の開放端によって画定された開放端をギャップ１８−１に有し得る。スロット１６２は、ギャップ１８−１の上方（例えば、図５のＸ軸方向）に導電性周囲構造体１６の一部分からディスプレイ接地構造体１０４を離す幅１７６を有し得る。ギャップ１８−１の上方の導電性周囲構造体１６の一部分がディスプレイ接地構造体１０４に短絡する（こうしてアンテナ構造体４０用のアンテナ接地の一部を形成する）ことから、スロット１６２は、アンテナ構造体４０用のアンテナ接地によって画定される３辺を有する開スロットを効果的に形成し得る。スロット１６２は、任意の所望の幅（例えば、約２ｍｍ、４ｍｍ未満、３ｍｍ未満、２ｍｍ未満、１ｍｍ未満、０．５ｍｍ超、１．５ｍｍ超、２．５ｍｍ超、１〜３ｍｍなど）を有し得る。スロット１６２は、（例えば、幅１７６に対して垂直な）長尺１７８を有し得る。スロット１６２は、任意の所望の長さ（例えば、１０〜１５ｍｍ、５ｍｍ超、１０ｍｍ超、１５ｍｍ超、３０ｍｍ超、３０ｍｍ未満、２０ｍｍ未満、１５ｍｍ未満、１０ｍｍ未満、５〜２０ｍｍの間など）を有し得る。
【００５６】
電子デバイス１０は、長手方向軸２８２によって特徴付けられ得る。長さ１７８は、長手方向軸２８２（例えば、図５のＹ軸）と平行に延在し得る。所望であれば、スロット１６２の複数部分が、１つ以上の周波数帯域において、スロットアンテナ共振をアンテナ４０に寄与させてもよい。例えば、スロット１６２の長さ及び幅（例えば、スロット１６２の周囲）は、アンテナ４０が所望の動作周波数で共振するように選択されてもよい。所望であれば、スロット１０１及びアンテナ共振素子１６２の全長が、アンテナ４０が所望の動作周波数で共振するように選択されてもよい。
【００５７】
所望であれば、ディスプレイ接地構造体１０４が、ギャップ１８−２に隣接しており、ギャップ１８−２の上縁部（例えば、上縁部１８４）を越えて（例えば、図５のＹ軸方向に）延在する更なる縦方向スロット１８２を含んでもよい。スロット１８２は、例えば、ディスプレイ接地構造体１０４によって画定される２つの縁部と、導電性周囲構造体１６によって画定される１つの縁部とを有してもよい。スロット１８２は、ギャップ１８−２においてスロット１０１の開放端によって画定された開放端を有してもよい。スロット１８２は、ギャップ１８−１の上方の導電性周囲構造体１６の一部分から（例えば、図５のＸ軸方向に）ディスプレイ接地構造体１０４を離す幅１８６を有してもよい。ギャップ１８−２の上方の導電性周囲構造体１６の一部分がディスプレイ接地構造体１０４に短絡する（こうしてアンテナ構造体４０用のアンテナ接地の一部を形成する）ことから、スロット１８２は、アンテナ構造体４０用のアンテナ接地によって画定される３辺を有する開スロットを効果的に形成し得る。スロット１８２は、任意の所望の幅（例えば、約２ｍｍ、４ｍｍ未満、３ｍｍ未満、２ｍｍ未満、１ｍｍ未満、０．５ｍｍ超、１．５ｍｍ超、２．５ｍｍ超、１〜３ｍｍなど）を有し得る。スロット１８２は、（例えば、幅１８６に対して垂直な）長尺１８８を有し得る。スロット１８２は、任意の所望の長さ（例えば、１０〜１５ｍｍ、５ｍｍ超、１０ｍｍ超、１５ｍｍ超、３０ｍｍ超、３０ｍｍ未満、２０ｍｍ未満、１５ｍｍ未満、１０ｍｍ未満、５〜２０ｍｍの間など）を有し得る。
【００５８】
長さ１８８は、長手方向軸２８２（例えば、図５のＹ軸）と平行に延在し得る。所望であれば、スロット１８２の一部分が、１つ以上の周波数帯域において、スロットアンテナ共振をアンテナ４０に寄与させてもよい。例えば、スロット１８２の長さ及び幅は、アンテナ４０が所望の動作周波数で共振するように選択され得る。所望であれば、スロット１０１及び１８２の全長が、アンテナ４０が所望の動作周波数で共振するように選択されてもよい。所望であれば、スロット１０１、１６２、及び１８２の全長が、アンテナ４０が所望の動作周波数で共振するように選択されてもよい。
【００５９】
図４の経路１１０などの戻り経路が、図５に示すような固定された導電経路スロット１０１、及び／又は調節可能な構成要素２０２及び／又は２０８など、１つ以上の調節可能な構成要素（例えば、図３の同調構成要素１０２などの調節可能な構成要素）によって形成され得る。調節可能な構成要素２０２及び２０８は、本明細書において、同調構成要素、同調可能な構成要素、同調回路、調節可能な構成要素、又は調節可能な同調構成要素と呼ばれることがある。
【００６０】
調節可能な構成要素２０２は、スロット１０１沿いの第１の位置でスロット１０１を橋絡し得る（例えば、構成要素２０２が、ディスプレイ接地構造体２０６上の端子１０４又はアンテナ接地１０３（図４）の別の構成要素と導電性周囲構造体１６上の端子２０４との間で結合され得る）。調節可能な構成要素２０８は、スロット１０１沿いの第２の位置でスロット１０１を橋絡し得る（例えば、構成要素２０８が、ディスプレイ接地構造体１０４上の端子２１２と導電性周囲構造体１６上の端子２１０との間で結合され得る）。接地アンテナフィード端子１００が、ディスプレイ接地構造体１０４上の端子２０６と端子２１２との間に介在し得る。正極アンテナフィード端子９８が、導電性周囲構造体１６上の端子２０４と端子２１０との間に介在し得る。端子２１２は、端子２０６よりも接地アンテナフィード端子１００の近くに位置し得る。端子２１０は、端子２０４よりも正極アンテナフィード端子９８の近くに位置し得る。端子２０６及び２１２は、導電性周囲筐体構造体１６から距離２３２だけ離れたディスプレイ接地構造体１０４の部分に形成され得る。
【００６１】
所望であれば、追加構成要素（例えば、追加アンテナ）を収容するために、アンテナ接地１０３（図４）の追加部分（例えば、筐体１２の導電部）に切欠き領域を含めてもよい。アンテナ接地が複数の層（例えば、筐体１２の導電層及び導電性接地部分１０４の両方）を含む実施形態においては、この切欠き領域がこれらの層のサブセットにのみ形成され得る。例えば、この切欠きは、筐体１２の導電層にのみ形成され、ディスプレイ接地構造体１０４には形成されなくてもよい。
【００６２】
構成要素２０２及び２０８は、調節可能な量のインダクタンス又は開回路をディスプレイ接地構造体１０４と導電性周囲構造体１６との間に提供するためのインダクタなどの固定構成要素に結合されたスイッチを含み得る。構成要素２０２及び２０８は、スイッチに結合されていない固定構成要素、又はスイッチに結合された構成要素とスイッチに結合されていない構成要素との組み合わせを含み得る。これらの実施例は単なる例示であり、一般に、構成要素２０２及び２０８は、調節可能な戻り経路スイッチ、コンデンサに結合されたスイッチ、又はその他任意の所望の構成要素（例えば、抵抗器、コンデンサ、インダクタ、及び／又は所望の方法で配置されたインダクタ）を含み得る。
【００６３】
構成要素２０２及び２０８は、電子デバイスの動作環境に基づいて調節され得る。例えば、アンテナ４０付近におけるユーザの手又はその他の身体部分などの外部物体の有無、及び／又は要求される通信帯域に基づいてアンテナ４０の同調モードが選択され得る。構成要素２０２及び２０８は、アンテナ４０に、異なる負荷条件（例えば、アンテナ４０の様々な異なる対応部分に隣接するデバイス１０の様々な異なる部分上のユーザの手又は他の外部物体の存在によって生じ得る異なる負荷条件）に対応する柔軟性を提供する。
【００６４】
構成要素２０２及び２０８は、所望の構造体を使用して、導電性周囲筐体構造体１６とディスプレイ接地構造体１０４との間に形成され得る。例えば、構成要素２０２及び２０８は、導電性周囲筐体構造体１６とディスプレイ接地構造体１０４との間に結合されたフレキシブルプリント回路基板など、それぞれのプリント回路上に形成され得る。
【００６５】
アンテナ４０の周波数応答は、調節可能な構成要素２０２及び２０８の同調モードに依存し得る。例えば、第１の同調モードでは、調節可能な構成要素２０２が、アンテナ共振素子アーム１０４とディスプレイ接地構造体２０８との間に開回路を形成し得るのに対し、調節可能な構成要素１０８は、アンテナ共振素子アーム１０８とディスプレイ接地構造体１０４との間に１つ以上のインダクタを選択的に結合してアンテナ４０を同調させ得る。第１の同調モードでは、例えば、低帯域ＬＢ（例えば、７００ＭＨｚから９６０ＭＨｚ又は別の好適な周波数範囲）におけるアンテナ４０の共振が、図５のフィード１１２とギャップ１８−１との間の導電性周囲構造体１６沿いの距離と関連付けられ得る。図５は、デバイス１０の前面から見た図であることから、図５のギャップ１８−１は、デバイス１０を前から見るとデバイス１０の左縁部にあり（図１のディスプレイ１４が形成されているデバイス１０の側面）、デバイス１０を後ろから見るとデバイス１０の右縁部にある。中間帯域ＭＢ（例えば、１７１０ＭＨｚから２１７０ＭＨｚ）におけるアンテナ４０の共振は、例えば、フィード１１２とギャップ１８−２との間の導電性周囲構造体１６沿いの距離と関連付けられ得る。中間帯域ＭＢにおけるアンテナ性能は、ディスプレイ接地構造体１０４内のスロット１８２によってサポートされ得る。高帯域ＨＢ（例えば、２３００ＭＨｚから２７００ＭＨｚ）におけるアンテナ性能は、ディスプレイ接地構造体１０４内のスロット１６２及び／又はアンテナアーム１０８によってサポートされる高調波モードの共振によってサポートされ得る。
【００６６】
第２の同調モードでは、調節可能な構成要素２０８が、アンテナ共振素子アーム１０８とディスプレイ接地構造体１０４との間に開回路を形成してアンテナを同調させ得るのに対し、調節可能な構成要素２０２は、アンテナ共振素子アーム１０８とディスプレイ接地構造体１０４との間で１つ以上のインダクタを選択的に結合してアンテナ４０を同調させ得る。第２の同調モードでは、例えば、低帯域ＬＢにおけるアンテナ４０の共振が、図５の構成要素２０２（即ち、端子２０４）の位置とギャップ１８−２との間の導電性周囲構造体１６沿いの距離と関連付けられ得る。例えば、中間帯域ＭＢにおけるアンテナ４０の共振が、構成要素２０２（即ち、端子２０４）の位置とギャップ１８−１との間の導電性周囲構造体１６沿いの距離と関連付けられ得る。高帯域ＨＢにおけるアンテナ性能は、ディスプレイ接地構造体１０４内のスロット１６２によってもサポートされ得る。
【００６７】
第３の同調モードでは、調節可能な構成要素２０２及び２０８の両方が、アンテナ共振素子アーム１０８とディスプレイ接地構造体１０４との間で１つ以上のインダクタを選択的に結合してアンテナ４０を同調させ得る。第３の同調モードでは、中間帯域ＭＢ及び高帯域ＨＢにおけるアンテナ４０の共振が、導電性周囲構造体１６の部分（例えば、構成要素２０２の端子２０４と構成要素２０８の端子２１０との間の導電性周囲構造体１６の部分）と、構成要素２０２と、ディスプレイ接地構造体１０４と、構成要素２０８と、を含むループと関連付けられ得る。
【００６８】
アンテナ４０は、各同調モードで異なる周波数帯域を扱うように構成され得る。例えば、第１の同調モードでは、アンテナ４０が、低帯域、中間帯域、高帯域で通信を行うように構成され得る。第２の同調モードでは、アンテナ４０が、低帯域、中間帯域及び高帯域で通信を行うように構成され得る。ただし、第１及び第２の同調モードは、ユーザの手などの外部デバイスによるアンテナ負荷を様々な方法で補償し得る。例えば、第１の同調モードでは、アンテナ４０が、デバイス１０がユーザの右手で保持されている場合には比較的高いアンテナ効率で動作し、デバイス１０がユーザの左手で保持されている場合には比較的低いアンテナ効率で動作するように構成され得るのに対し、第２の同調モードでは、アンテナ４０が、デバイス１０がユーザの左手で保持されている場合には比較的高いアンテナ効率で動作し、デバイス１０がユーザの右手で保持されている場合には比較的低いアンテナ効率で動作するように構成され得る。換言すれば、第１及び第２の同調モードでは、アンテナ４０が、低帯域、中間帯域、及び高帯域で無線通信を行い得るが、ユーザがデバイス１０を保持するのにどちらの手を使っているかなど、特定の動作条件に感応し得る。
【００６９】
一般に、アンテナ４０は、中間帯域又は高帯域での動作時よりも、低帯域での動作時に、負荷条件の変更及び離調を起こしやすくなり得る。第３の同調モードでは、アンテナ４０が、ユーザがどちらの手を使ってデバイス１０を保持しているかに関係なく、比較的高い効率で動作するように構成され得る（例えば、アンテナ４０が、ユーザの利き手に対して弾力的又は可逆的であり得る）。ただし、第３の同調モードに入った時には、アンテナ４０は、アンテナ４０が第１及び第２の同調モードで網羅できる周波数帯域のサブセットだけを網羅し得る。第３の同調モードでは、例えば、アンテナ４０が低帯域を網羅せず、中間帯域及び高帯域を網羅し得る。
【００７０】
図６は、電子デバイス１０の（例えば、図５の線２６０に沿った）断側面図である。図６に示すように、電子デバイス１０のディスプレイ１４は、ディスプレイパネル３０４を覆うディスプレイカバー層３０２などのディスプレイカバー層を含み得る。ディスプレイパネル３０４（ディスプレイモジュールと呼ばれることもある）は、任意の種類のディスプレイパネルであってよく、発光ダイオード（ＬＥＤ）、有機ＬＥＤ（ＯＬＥＤ）、プラズマセル、エレクトロウェッティング画素、電気泳動画素、液晶ディスプレイ（ＬＣＤ）構成要素、又は他の適切な画素構造体から形成された画素を含んでもよい。ディスプレイパネル３０４の水平方向領域は、例えば、ディスプレイ１４のアクティブ領域ＡＡ（図１）の大きさを決定し得る。ディスプレイパネル３０４は、アクティブ発光部品、タッチセンサ部品（例えば、タッチセンサ電極）、力センサ部品、及び／又はその他のアクティブ部品を含み得る。ディスプレイカバー層３０２は、基底ディスプレイパネルの発光面を覆うクリアガラス、プラスチック、又はその他の誘電体の層であり得る。他の好適な構成では、ディスプレイカバー層３０２が、ディスプレイパネル３０４の最外層であり得る（例えば、層３０２が、カラーフィルタ層、薄膜トランジスタ層、又はその他のディスプレイ層であり得る）。ボタンは、カバー層３０２内の開口部を通過し得る（図１のボタン２４を参照）。カバー層はまた、スピーカポート用の開口部（図１のスピーカポート２６を参照）、センサ（例えばセンサ２４８）用の開口部、又はその他任意の所望の電子部品用の開口部など、他の開口部を有し得る。
【００７１】
ディスプレイパネル３０４は、ディスプレイプレート３０６などの導電性ディスプレイ支持プレート（中間プレート又はディスプレイプレートと呼ばれることもある）により、電子デバイス１０内で支持され得る。導電性ディスプレイフレーム３０８が、ディスプレイプレート３０６及び／又はディスプレイパネル３０４を筐体１２上で適所に保持し得る。例えば、ディスプレイフレーム３０８はリング状であってもよく、ディスプレイパネル３０４の周囲を囲み、中央開口部を囲む部分を含み得る。ディスプレイプレート３０６及びディスプレイフレーム３０８は、共に導電性材料（例えば、金属）から形成され得る。ディスプレイプレート３０６及びディスプレイフレーム３０８は、ディスプレイプレート３０６及びディスプレイフレーム３０８が電気的に接続されるように直接接触し得る。所望であれば、ディスプレイプレート３０６及びディスプレイフレーム３０８は一体的に（例えば、同じ金属片から）形成されてもよい。図６の構成は、ディスプレイ１４の非アクティブ領域ＩＡ（図１）を非常に薄くすることを可能にし得る。
【００７２】
プラスチックフレーム３１０がディスプレイフレーム３０８の周囲に成形され得る。また、プラスチックフレーム３１０は（ディスプレイフレーム３０８と同様に）リング状であってもよい。電子デバイス１０は、上縁部及び下縁部が左縁部及び右縁部によって連結された矩形の周囲を有し得る。プラスチックフレーム３１０は、電子デバイス１０の矩形の周囲を囲み得る。プラスチックフレーム３１０は、成形されたプラスチック又はその他任意の所望の誘電材料から形成されてもよく、フレーム３０８を取り付けることによってプレート３０６及びパネル３０４を導電性周囲筐体構造体１６に取り付ける働きをしてもよい。導電性フレーム３０８、導電性プレート３０６、及びパネル３０４の導電部（例えば、導電性電極、画素回路、接地層、フェライト層、シールド層など）がアンテナ４０用のディスプレイ接地構造体１０４（図５）を形成し得る。
【００７３】
導電性周囲筐体構造体１６は、一体的な棚部３２６を有し得る。一体的な棚部３２６は、導電性周囲筐体構造体１６から離れて電子デバイス１０の内部に向かって延在し得る。所望であれば、一体的な棚部３２６を使用して電子デバイス１０内に各種構成要素を取り付けてもよい。例えば、一例示的実施形態においては、プラスチックフレーム３１０が、導電性周囲筐体構造体１６の棚部３２６によって支持されてもよい。
【００７４】
図６に示すように、筐体１２（図１）は、誘電体層３２４などの誘電性筐体部と、導電層３２０などの導電性筐体部（本明細書では導電性筐体壁３２０と呼ばれることがある）と、を含み得る。所望であれば、誘電体層３２４は、層３２４がデバイス１０の外面を形成するように層３２０の下に形成されてもよい（それにより、例えば、層３２０を損耗から保護し、かつ／又は層３２０をユーザの視界から隠してもよい）。導電性筐体部３２０は、ディスプレイ接地構造体に電気的に接続され得る。例として、導電性筐体部３２０は、デバイス１０用の導電性支持プレート又は壁（例えば、導電性後部プレート又は筐体後部壁）であり得る。導電性筐体部３２０は、所望であれば、デバイス１０の幅全体にわたって（例えば、周辺筐体構造体１６によって形成された２つの対向側壁の間に）延在してもよい。所望であれば、導電性筐体部３２０及びデバイス１０の対向側壁が、単一の一体的な金属片から形成されてもよく、又は部分３２０が別の方法でデバイス１０の対向側壁に短絡してもよい。誘電体層３２４は、例として、薄いガラス、サファイヤ、セラミック、若しくはサファイヤ層、又は他の誘電体コーティングであり得る。別の好適な構成では、所望であれば、層３２４が省略されてもよい。
【００７５】
デバイス内の各接地端子（例えば、図５の端子２０６、２１２、１００）においては、導電性周囲構造体１６の共振素子アーム部に最も近い導電性構造体（例えば、図５の導電性ディスプレイ構造体１０４）が接地電位に保持され、アンテナ接地１０３（図４）の一部を形成するように、デバイス接地の種々の構成要素が電気的に接続され得る。１つの好適な構成では、アンテナ接地が、ディスプレイ接地構造体（例えば、ディスプレイパネル３０４の導電部、導電性プレート３０６、及び／又は導電性フレーム３０８）と、筐体１２の導電部（例えば、導電性後部プレート３２０など、筐体１２の後壁の部分と、外周ギャップ１８によってアーム１０８から離された導電性周囲筐体構造体１６の部分）との両方を含む。縦型導電性構造体（例えば、ブラケット、クリップ、バネ、ピン、ネジ、ハンダ、溶接、導電接着剤、ワイヤ、金属ストリップ、又はこれらの組み合わせ）が、筐体１２の導電部（例えば、導電性後部プレート）を、図５の端子２０６、２１２、及び／又は１００でディスプレイ接地構造体１０４に結合し得る。導電性ディスプレイ構造体などの共振素子アーム１０８（図５）に近い導電性構造体を接地電位に保つことが、例えば、アンテナ構造体４０のアンテナ効率を最適化する働きをし得る。１つの好適な構成では、接地端子２０６、２１２、及び／又は１００（図５）が、導電性後部プレートを導電性ディスプレイ構造体に電気的に接続するバネなどの導電性構造体を含み得る。
【００７６】
図６に示すように、導電性周囲筐体構造体１６と（ディスプレイ接地構造体１０４の一部分を形成する）導電性フレーム３０８との間には、スロット１６２が形成され得る。同様に、導電性周囲筐体構造体１６と導電性フレーム３０８との間に、スロット１８２が形成され得る。本実施例では、スロット１６２の幅１７６（図５）が、導電性フレーム３０８と（例えば、誘電体充填ギャップ１８−１に隣接する電子デバイスの側の）導電性周囲筐体構造体１６との間の距離によって画定されている。スロット１８２の幅１８６（図５）は、導電性フレーム３０８と（例えば、誘電体充填ギャップ１８−２に隣接する電子デバイスの側の）導電性周囲筐体構造体１６との間の距離によって画定されている。導電性筐体層３２０はまた、アンテナ接地１０３（図４）の一部分を形成し得る。スロット１６２の下では、導電性筐体層３２０が、スロット１６２の幅以上の距離３３２だけ導電性周囲筐体構造体１６から離され得る。スロット１８２の下では、導電性筐体層３２０が、スロット１８２の幅以上の距離３３４だけ導電性周囲筐体構造体１６から離され得る。図６の例は単なる例示であり、他の構成を用いてディスプレイ接地構造体１０４内でスロット１６２及び１８２を形成してもよい。
【００７７】
図７及び図８は、ディスプレイ接地構造体とアンテナ共振素子との間で図５に示す種類の分布容量がどのように形成され得るかを示す側断面図である。図７が、図５の線２６２に沿った側断面図であるのに対し、図８は、図５の線２６４に沿った側断面図である。（ディスプレイ接地構造体１０４の一部分と分布容量領域内にない導電性周囲構造体とを示す）図７では、導電性ディスプレイフレーム３０８が、導電性周囲筐体構造体１６から距離２３２だけ離されている。（ディスプレイ接地構造体１０４の一部分と分布容量領域内にない導電性周囲構造体とを示す）図８では、導電性ディスプレイフレーム３０８が、導電性周囲筐体構造体１６から、距離２３２よりも短い距離２３８だけ離されている。図７及び図８は、導電性フレーム３０８が分布容量領域２３０（図５）内の導電性周囲筐体構造体１６に向かってどのように延在しているかを示している。分布容量領域内の導電性周囲構造体１６の近くまで延びているディスプレイフレーム３０８の一部分は、ディスプレイフレーム延伸部又はディスプレイフレームの延伸部分と呼ばれることがある。ディスプレイフレーム延伸部及び導電性周囲構造体１６は、ディスプレイ接地構造体１０４と導電性周囲筐体構造体１６との間に所望の分布容量を形成し得る。
【００７８】
図７に示すように、導電性ディスプレイフレーム３０８は、導電性構造体３０９によって高周波シールド３１２に電気的に接続され得る。導電性構造体３０９は、ディスプレイフレーム３０８と高周波シールド３１２の両方に直接接触し得る。導電性構造体３０９は、バネ又はその他任意の構造体（例えば、ブラケット、クリップ、バネ、ピン、ネジ、ハンダ、溶接、導電接着剤、ワイヤ、金属ストリップ、又はこれらの組み合わせ）であり得る。代替として、ディスプレイフレーム３０８は、介在構造体なしで高周波シールド３１２に直接接触してもよい（そして導電性構造体３０９が省略されてもよい）。締め具３２８及び３３０は、高周波シールド３１２と導電性筐体層３２０とを一緒に取り付け得る。締め具３２８及び３３０は、構成要素を電気的にも接続するように導電性であり得る。例えば、締め具３２８及び／又は３３０は、高周波シールド３１２がアンテナ接地の一部分を形成するように高周波シールド３２０を導電性筐体層３１２に電気的に接続し得る。締め具３３０はネジであってもよく、締め具３２８はネジ３３０を受容するネジボスであってもよい。ただし、本実施例は単なる例示であり、締め具３２８及び３３０は一般に、各々が、ブラケット、クリップ、バネ、ピン、ネジ、ハンダ、溶接、導電接着剤、ワイヤ、金属ストリップ、又はこれらの組み合わせであり得る。
【００７９】
そのため、高周波シールド３１２は、アンテナ接地の様々な部分を電気的に接続し得る（例えば、高周波シールド３１２は、導電性筐体層３２０を導電性フレーム３０８に電気的に接続し得る）。所望であれば、電子デバイス内の追加構成要素（例えば、図５の調節可能な構成要素２０２）が高周波シールド３１２に結合されてもよい。
【００８０】
高周波シールド３１２はまた、電子デバイス１０内の構成要素を干渉から守り得る。例えば、１つの例示的な構成では、追加アンテナが、高周波シールド３１２の下（例えば、アンテナ接地の切欠き領域内）に形成され得る。追加アンテナを高周波シールド３１２の下に形成すると、その追加アンテナが、電子デバイス１０内の他の構成要素によって生成された高周波信号（例えば、高周波シールドの他方側を起点とする高周波信号）から守られ得る。
【００８１】
図７に示すように、電子デバイス１０は、ディスプレイ１４用の信号を搬送するフレキシブルプリント回路３４２を含み得る。例えば、フレキシブルプリント回路３４２は、ディスプレイパネル３０４の薄膜トランジスタ層に結合され得る。フレキシブルプリント回路３４２は、追加のフレキシブルプリント回路又はリジッドプリント回路基板（例えば、主論理基板）にも結合され得る。導電性フレーム３０８、プラスチックフレーム３１０、ディスプレイパネル３０４、及び／又はディスプレイプレート３０６が、フレキシブルプリント回路３４２を収容し得る。
【００８２】
図８に示すように、プリント回路２５０などの基板も電子デバイス１０に含まれ得る。プリント回路２５０は、リジッドプリント回路基板（例えば、ガラス繊維充填エポキシ又はその他のリジッドプリント回路基板材料）から形成されたプリント回路基板であってもよく、又はフレキシブルプリント回路（例えば、ポリイミドのシート又はその他の可撓性ポリマー層から形成されたフレキシブルプリント回路）であってもよい。プリント回路２５０は、アンテナ共振素子などのアンテナトレース（例えば、アンテナ接地の切欠き領域内の追加アンテナ用）、伝送線路構造体（例えば、図５の伝送線路９２の伝送線路構造体）、表面実装技術部品、アンテナフィード用端子（例えば、図５の正極フィード端子９８又は接地フィード端子１００）、又はその他任意の所望のトレース若しくは構成要素を含み得る。ネジ２６４などの導電性締め具又はその他の所望の導電性構造体（例えば、ブラケット、クリップ、バネ、ピン、ネジ、ハンダ、溶接、導電接着剤、ワイヤ、金属ストリップ、又はこれらの組み合わせ）が、フレキシブルプリント回路基板３２０を導電性筐体層２５０に電気的に接続し、かつ／又は機械的に固定し得る。導電性筐体層３２０内のネジボス又はネジ穴は、ネジ２６４を受容し得る。プリント回路基板２５０は、所望であれば、送受信機回路（例えば、図５の送受信機回路９０）を含む追加プリント回路に結合されてもよい。
【００８３】
図９は、図５〜図８に示す種類の例示的なアンテナの周波数の関数としてのアンテナ効率のグラフである。図９に示すように、アンテナ４０（図５）は、周波数Ｆ1とＦ2との間の共振を呈し得る。周波数Ｆ1及びＦ2は、任意の所望の周波数（例えば、１７１０ＭＨｚ及び２７００ＭＨｚ）であり得る。ディスプレイ接地構造体１０４（図５）と導電性周囲筐体構造体１６（図５）との間に形成された分布容量（例えば、図５の領域２３０）が存在する場合、アンテナ４０（図５）は、周波数Ｆ1とＦ2との間の曲線４０２によって特徴付けられるアンテナ効率を有し得る。曲線４０４は、図５の分布容量領域が省略され、代わりに導電性周囲構造体とディスプレイ接地構造体との間に表面実装技術コンデンサが結合された構成におけるアンテナ効率を特徴付けるものである。図９に示すように、図５のディスプレイ接地構造体１０４と導電性周囲筐体構造体１６との間に形成された分布容量は、ディスプレイ接地構造体と導電性周囲筐体構造体との間に別個の表面実装技術コンデンサが結合されている場合よりも広い周波数範囲でアンテナ効率を高め得る。この例は単なる例示であり、所望であれば、いずれの帯域においても任意の形状を有することができる。所望であれば、アンテナ４０は、任意の所望の周波数帯域（例えば、７００〜９６０ＭＨｚの低帯域、９６０〜１７１０ＭＨｚの低中帯域、１７１０〜２１７０ＭＨｚの中帯域、２３００〜２７００ＭＨｚの高帯域、３４００〜３７００ＭＨｚの超高帯域など）で共振を呈してもよい。
【００８４】
一実施形態によれば、導電性周囲構造体を有する筐体と、筐体内のディスプレイと、ディスプレイ用の導電性フレームと、アンテナ用のアンテナ共振素子アームであって、導電性周囲構造体のセグメントから形成されているアンテナ共振素子アームと、ディスプレイ用の導電性フレームを含むアンテナ用のアンテナ接地と、を含む、電子デバイスが提供される。
【００８５】
別の実施形態によれば、この導電性フレームは、アンテナ共振素子アームから第１の距離だけ離された第１の部分と、アンテナ共振素子アームから、第１の距離よりも短い第２の距離だけ離された第２の部分と、を有し、第２の部分は、アンテナ共振素子アームと共に分布容量を形成するように構成されている。
【００８６】
別の実施形態によれば、電子デバイスは、導電性フレームの第２の部分とアンテナ共振素子アームとの間に結合されたアンテナ用のアンテナフィードを含む。
【００８７】
別の実施形態によれば、電子デバイスは、導電性フレームに結合された導電性ディスプレイプレートを含み、アンテナ接地はその導電性ディスプレイプレートを含む。
【００８８】
別の実施形態によれば、この導電性フレームは、上縁部及び下縁部が左縁部及び右縁部によって結合された矩形の外周と、上下左右の縁部で囲まれた中央開口部と、を有する。
【００８９】
別の実施形態によれば、導電性周囲構造体のセグメントは第１のセグメントであり、電子デバイスは、第１のセグメントを導電性周囲構造体の第２のセグメントから離す、導電性周囲構造体内の第１の誘電体充填ギャップと、第１のセグメントを導電性周囲構造体の第３のセグメントから離す、導電性周囲構造体内の第２の誘電体充填ギャップと、を含む。
【００９０】
別の実施形態によれば、このアンテナ接地は、導電性周囲構造体の第２及び第３のセグメントと、導電性周囲構造体の第２のセグメントと第３のセグメントとの間に延在する平面状導電層と、を含む。
【００９１】
別の実施形態によれば、電子デバイスは、この平面状導電層を導電性フレームに電気的に結合する導電性構造体を含む。
【００９２】
別の実施形態によれば、アンテナ接地は、第１の誘電体充填ギャップの縁部を越えて延在する第１の縦方向スロットを含み、この第１の縦方向スロットは、導電性フレームと導電性周囲構造体の第２のセグメントとによって画定される縁部を有する。
【００９３】
別の実施形態によれば、アンテナ接地は、第２の誘電体充填ギャップの縁部を越えて延在する第２の縦方向スロットを含み、この第２の縦方向スロットは、導電性フレームと導電性周囲構造体の第３のセグメントとによって画定される縁部を有する。
【００９４】
別の実施形態によれば、アンテナ共振素子アームと導電性フレームとの間に誘電体充填ギャップが介在し、この誘電体充填ギャップは、アンテナ共振素子アームを導電性フレームの第１の部分から第１の距離だけ離し、アンテナ共振素子アームを、導電性フレームの第２の部分から、第１の距離よりも短い第２の距離だけ離す。
【００９５】
別の実施形態によれば、アンテナ共振素子アーム及び導電性フレームの第２の部分がアンテナ用の分布インピーダンス整合容量を形成する。
【００９６】
一実施形態によれば、導電性周囲構造体を有する筐体と、筐体内のディスプレイと、アンテナ用のアンテナ共振素子アームであって、導電性周囲構造体のセグメントから形成されているアンテナ共振素子アームと、ディスプレイを支持し、延伸部を有する導電層であって、導電層の延伸部は、アンテナ用の分布容量の一部を形成するように構成されている、導電層と、を含む、電子デバイスが提供される。
【００９７】
別の実施形態によれば、この延伸部は、アンテナ共振素子アームから第１の距離だけ離されており、この延伸部は、第１の距離よりも長い第２の距離だけ少なくともアンテナ共振素子アームから離された導電層の第１の部分と第２の部分との間に介在する。
【００９８】
別の実施形態によれば、この導電層は、上縁部及び下縁部が左縁部及び右縁部によって結合された矩形の外周と、上下左右の縁部で囲まれた中央開口部と、を有する。
【００９９】
別の実施形態によれば、この導電層は、アンテナ用のアンテナ接地の一部分を形成する。
【０１００】
一実施形態によれば、導電性周囲構造体と、導電性周囲構造体の第１のセグメントと第２のセグメントとの間に延在する平面状導電層と、を有する筐体と、筐体内のディスプレイと、導電性ディスプレイフレームと、第１のセグメントを導電性周囲構造体の第３のセグメントから離す、導電性周囲構造体内の第１の誘電体充填ギャップと、第２のセグメントを第３のセグメントから離す、導電性周囲構造体内の第２の誘電体充填ギャップと、導電性周囲構造体の少なくとも第３のセグメントから形成されたアンテナ用のアンテナ共振素子と、少なくとも、平面状導電層、導電性周囲構造体の第１及び第２のセグメント、及び導電性ディスプレイフレームから形成された、アンテナ用のアンテナ接地と、を含む、電子デバイスが提供される。
【０１０１】
別の実施形態によれば、アンテナ用の分布インピーダンス整合容量は、導電性ディスプレイフレームとアンテナ共振素子とによって形成される。
【０１０２】
別の実施形態によれば、アンテナ接地は、第１の誘電体充填ギャップの縁部を越えて延在する第１の縦方向スロットを含み、この第１の縦方向スロットは、導電性ディスプレイフレームと導電性周囲構造体の第１のセグメントとによって画定された縁部を有する。
【０１０３】
別の実施形態によれば、アンテナ接地は、第２の誘電体充填ギャップの縁部を越えて延在する第２の縦方向スロットを含み、この第２の縦方向スロットは、導電性ディスプレイフレームと導電性周囲構造体の第２のセグメントとによって画定される縁部を有する。
【０１０４】
前述の内容は例示に過ぎず、説明した実施形態の範囲及び趣旨から逸脱することなく、当業者によって様々な修正を行うことができる。前述の実施形態は、個々に、又は任意の組み合わせで実施することができる。
【図１】
2019050561.tif 000003
【図２】
2019050561.tif 000004
【図３】
2019050561.tif 000005
【図４】
2019050561.tif 000006
【図５】
2019050561.tif 000007
【図６】
2019050561.tif 000008
【図７】
2019050561.tif 000009
【図８】
2019050561.tif 000010
【図９】
2019050561.tif 000011
【外国語明細書】
2019050561000001.pdf